(57)【要約】      （修正有）【課題】移動通路の可撓性移動手摺ベルトに貼付して、当該移動通路の利用者に、当該移動通路回りに係わる各種情報を告知する情報表示テープの左右側縁部と、当該可撓性移動手摺ベルトの左右側縁部との貼付面間に、気泡が発生したり、当該情報表示テープの左右側縁部に皺や、切れの発生し難い情報表示テープを提供する。【解決手段】可撓性移動手摺ベルトに貼付する情報表示テープ１０の左右側縁部１２に、適度な大きさの穴１３、１４を、適度な間隔で設ける。【選択図】図１
2007015851.tif 000002
【特許請求の範囲】
【請求項１】
エスカレータ、動く歩道等の移動通路の、可撓性移動手摺ベルトに貼付して、当該移動通路回りに係わる模様、広告、宣伝、告示等の各種情報を伝達、告知する情報表示テープの左右両側縁部に、当該可撓性移動手摺ベルトの進行時に繰り返し発生する屈曲に基づく、当該可撓性移動手摺ベルト側縁部と情報表示テープ側縁部間の貼付応力の分散、抑制部を構成したことを特徴とする可撓性移動手摺ベルトの情報表示テープ。
【請求項２】
前記可撓性移動手摺ベルト（２０５）に貼付する情報表示テープ（１０、２０、３０、４０）の左右両側縁部（１２、２２、３２、４２）に、当該可撓性移動手摺ベルト（２０５）の進行時に繰り返し発生する屈曲に基づく、貼付応力の分散、抑制用の○、長○、三角、四角等の適宜形状の穴（１３、１４、２３、３３、４３）を、適宜間隔を存して設けたことを特徴とする請求項１記載の可撓性移動手摺ベルトの情報表示テープ。
【請求項３】
前記可撓性移動手摺ベルト（２０５）に貼付する情報表示テープ（５０、６０……８０、９０）の左右両側縁部（５２、６２……８２、９２）に、当該可撓性移動手摺ベルトの進行時に繰り返し発生する屈曲に基づく貼付応力の分散、抑制用の三角形状（５３）、鋸歯状（６３）、波状（７３）、先丸三角形状（８３）、弧状頂低部付三角形状（９２）等の外向き開口（５４、６４……８４、９４）を設けたことを特徴とする請求項１記載の可撓性移動手摺ベルトの情報表示テープ。
【請求項４】
エスカレータ、動く歩道等の移動通路の、可撓性移動手摺ベルトに貼付して、当該移動通路回りに係わる各種情報を伝達、告知する情報表示テープの巻き付け用芯管を、プラスチック、スチール等の紙以外の反復使用可能な材料製にするとともに、該芯管の左右端部を、当該芯管本体よりやや細径状に構成したことを特徴とする情報表示テープ巻き付け用芯管。
【請求項５】
前記情報表示テープ巻き付け用芯管（１１０）の先細状左右端部（１１２）外側に、当該芯管本体（１１１）と同心状で、前記可撓性移動手摺ベルト（２０５）へ、当該芯管（１１０）に巻き付けた情報表示テープ（１０、２０……８０、９０）を貼付する貼付装置（２００）の、垂直状側板（２０１）の垂直状案内溝（２０２）に誘導されるねじ付案内棒（１１３）を設けたことを特徴とする請求項４記載の情報表示テープ巻き付け用芯管。
【請求項６】
前記情報表示テープ巻き付け用芯管（１００、１１０）の細径部（１０２、１１２）の端部（１０２Ａ、１１２Ａ）に、当該芯管（１００、１１０）に巻き付けた情報表示テープ（１０、２０……８０、９０）の、両側縁部（１２、２２……８２、９２）の端部を誘導する、適宜直径の誘導用カラー（１０６、１１６）を設けたこと特徴とする請求項４又は５の何れかに記載の情報表示テープ巻き付け用芯管。
【発明の詳細な説明】
【産業上の利用分野】
【０００１】  この発明は、可撓性移動手摺ベルト用情報表示テープ及び情報表示テープ巻き付け用芯管、殊に、例えば、エスカレータ、動く歩道等の移動通路の、可撓性移動手摺ベルトに貼付して、当該移動通路回りに係わる模様、広告、宣伝、伝達、告示等の各種情報を、主として当該移動通路の利用者に告知、伝達する、可撓性移動手摺ベルト用情報表示テープ及び当該情報表示テープのプラスチック、スチール等の、紙以外の反復巻き付け可能な情報表示テープ巻き付け用芯管に関するものである。
【背景技術】
【０００２】  従来のエスカレータ、動く歩道等の移動通路の可撓性移動手摺ベルトに貼付して、主として当該移動通路の利用者に、当該移動通路回りの各種情報を告知、伝達する情報表示テープは、例えば、当該可撓性移動手摺ベルトの設置箇所において、当該可撓性移動手摺ベルト回りに係わる最新の模様、広告、宣伝、伝達、告示等の必要な情報｛図１３では、四角、三角、長○：楕円形、記号Ａ、Ｂ、Ｃ、Ｄにより情報を略示｝を予め、印刷等の適宜手段により表示した情報表示テープを、当該移動通路の利用者に伝達、告知するため、必要に応じて随時、当該移動通路を一時停止させて、その可撓性移動手摺ベルト貼付した後、当該移動通路とともにその可撓制移動手摺ベルトの運転を再開して、使用するものである。【０００３】エスカレータ、動く歩道等の移動通路の利用者は、仮に、当該移動通路の進行と同期進行する、可撓性移動手摺ベルトの表面に、当該移動通路周りに係わる各種情報の表示があれば、当該可撓性移動手摺ベルトに貼付された情報表示テープに表示された各種情報を見ながら、当該移動通路とともに、当該移動通路と同距離進行し、その間、当該移動通路と同期進行する可撓性移動手摺ベルトに貼付された情報表示テープの表示情報を、静止情報と同様な情報として認識できるメリットがあり、高い情報表示、伝達効果があるものとして、係る情報表示手法が近時広く利用される。【０００４】また、この種情報表示テープ２１０の、移動通路の可撓性移動手摺ベルト２０５への貼付は、当該移動通路の設置現場において、当該移動通路を一時停止させて、例えば、本発明者が先に提案した移動通路の可撓性手摺ベルトへの情報表示テープ貼付装置（特願２００５−１３５３６４号参照）により貼付する必要があり、しかも、この情報表示テープの表示情報は、当該移動通路等回りに係わる最新情報に随時更新することが望まれるため、当該移動通路の可撓性移動手摺ベルトへ貼付する、情報表示テープの貼付装置への取付けに適するように、例えば、紙製芯管に巻き付けた情報表示テープを予め、準備する必要があった。
【従来技術における解決すべき課題】
【０００５】  従来の移動通路の可撓性移動手摺ベルトは、例えば、図１３、１４の模式説明図に略示するように、当該移動通路の可撓性移動手摺ベルト２０５の進行に伴い、その側縁部２０８が屈曲を繰り返すばかりでなく、当該可撓性移動手摺ベルト２０５の構造上、その左右両側縁２０８が、略平板状をなす当該手摺ベルト本体２０７より大きく屈曲する。このため、可撓性移動手摺ベルト２０５の表面に貼付された情報表示テープ２１０の左右両側部もかなり大きな湾曲を繰返し、甚だしい場合には、当該可撓性移動手摺ベルト２０５の左右両側縁部２０８の表面と、これに貼付した情報表示テープ２１０の左右両側縁部間に気泡（隙間）２１６が発生したり、当該左右両側縁部２１２に皺や亀裂の発生を招く恐れがあった。この発明は、そのような情報表示テープ２１０の左右両側縁部２１２に気泡２１６の発生、皺や亀裂の発生を招く恐れのない情報表示テープを提供しようとするものである。
【０００６】また、従来の情報表示テープ２１１を巻き付ける芯管は、所要の強度を備える厚紙により構成するのが通常で、係る紙製芯管は比較的安価に提供され、情報表示テープの貼付装置２００に容易に装着できるメリットがあるものの、紙製芯管に巻き付けた情報表示テープ２１０を、目的とする移動通路の可撓性移動手摺ベルト近傍に搬送し、その移動通路の可撓性移動手摺ベルト２０５に貼付した後、当該紙製芯管を回収して、焼却処理するのが通常であったため、木材資源の損失、二酸化炭素の発生を招き、地球温暖化の一因に通ずる嫌いがあった。
【０００７】この発明は、前記のような情報表示テープの巻き付けに適するとともに、反復使用が可能で、従来の紙製芯管のように、当該情報表示テープの貼付装置による可撓性移動手摺ベルトへの貼付終了後、当該紙製芯管を回収して、二酸化炭素の発生を必然的に招く焼却、処分をする必要性がなく、当該情報表示テープを巻き付けた芯管を回収して、新情報の表示された情報表示テープを再度巻き付けて使用可能な紙以外の、例えば、プラスチック、スチール等の反復使用可能な芯管を提供しようとするものである。
【０００８】また、移動通路回りに係わる各種情報を表示した情報表示テープを、当該移動通路の可撓性移動手摺ベルトに、情報表示テープ貼付装置により貼付する情報表示テープを、所要の強度を備える紙製芯管に巻回して、当該情報表示テープを目的とする移動通路の可撓性移動手摺ベルト２０５（図１３参照）の設置箇所まわりへ搬送し、例えば、本発明者が先に提案した前示移動手摺ベルトへの情報表示テープ貼付装置２００（図１３参照。同図ではその垂直状側板２０１のみを略示）へ取付けて貼付するもので、係る情報表示テープ貼付装置２００の出現により、移動通路の可撓性移動手摺ベルト２０５への、情報表示テープの貼付作業の効率が向上する反面、紙製芯管の回収、焼却量の増加、ひいては、紙製芯管の焼却に基づく二酸化炭素の発生、地球温暖化等、地球環境破壊に繋がる一因をなす嫌いがあった。
【０００９】この発明は、エスカレータ、動く歩道等の移動通路回りに係わる模様、広告、宣伝、伝達、告示等の各種情報を表示する情報表示テープを、当該移動通路の可撓性移動手摺ベルトに、例えば、本発明者がさきに提案した特願平２００５−１３５３６４号明細書、図面記載の情報表示テープ貼付装置により、簡易、迅速に貼付できる外、当該可撓性移動手摺ベルトに貼付状態において、当該情報表示テープの両側縁部と、可撓性移動手摺ベルトの側縁部との貼付面間に、気泡の発生や、可撓性移動手摺ベルトの左右両側部に貼付された情報表示テープの左右側縁部に皺や、亀裂の発生する恐れのない、情報表示テープを提供し酔うとするものである。
【００１０】また、この発明は、移動通路の可撓性移動手摺ベルトに貼付する各種情報表示テープの巻き付け用芯管を、所用の強度を備え、反復使用に適する構造、例えば、本発明者が提案した前示移動手摺ベルトへの情報表示テープ貼付装置２００（例えば、図１１、１２に略示した、垂直誘導溝２０２付垂直状側板２０１参照）への取付けに適する構造であって、例えば、プラスチック、スチール等の、紙以外の反復使用可能な材料製の芯管と摺ることにより、従来例のように、使用後の紙製芯管を回収して焼却することに基づく二酸化炭素の発生や、木材資源の消費を減らし、地球温暖化、地球環境の悪化を招く恐れが少なく、返って、可撓性移動手摺ベルトへの当該情報表示テープ貼付後の芯管を回収して、繰返し使用に好適な、所定規格のものを低級使用とするものである。
【課題を解決する手段】
【００１１】  この発明は、従来技術における、前記のような課題を解決するため、エスカレータ、動く歩道等の移動通路の、可撓性移動手摺ベルトに貼付して、当該移動通路回りに係わる模様、広告、宣伝、告示等の各種情報を伝達、告知する情報表示テープの左右両側縁部に、当該可撓性移動手摺ベルトの進行時に繰り返し発生する屈曲に基づく、当該可撓性移動手摺ベルトの側縁部と、情報表示テープ側縁部間の貼付応力の分散、抑制部を構成した、可撓性移動手摺ベルトの情報表示テープである。
【００１２】また、前記可撓性移動手摺ベルト２０５に貼付する情報表示テープ１０、２０、３０、４０の左右両側縁部１２、２２、３２、４２に、当該可撓性移動手摺ベルト２０５の進行時に繰り返し発生する屈曲に基づく、貼付応力の分散、抑制する○、長○、三角、四角等の適宜形状の穴１３、１４、２３、３３、４３を、適宜間隔を存して設けたものであり、また、前記可撓性移動手摺ベルト２０５に貼付する情報表示テープ５０、６０……８０、９０の左右両側縁部５２、６２……８２、９２に、当該可撓性移動手摺ベルトの進行時に繰り返し発生する屈曲に基づく貼付応力の分散、抑制用の三角形状５３、鋸歯状６３、波状７３、先丸三角形状８３、弧状頂低部付三角形状９２等の外向き開口５４、６４……８４、９４を設けたものである。
【００１３】さらに、エスカレータ、動く歩道等の移動通路の、可撓性移動手摺ベルト２０５の表面に貼付して、当該移動通路回りに係わる各種情報を伝達、告知する情報表示テープ１０、２０……８０、９０の巻き付け用芯管１００、１１０を、プラスチック、スチール等の紙以外の反復使用可能な材料製にするとともに、当該芯管１００、１１０の左右端部１０２、１１２を、当該芯管本体１０１、１１１よりやや細径状に構成した情報表示テープの巻き付け用芯管である。
【００１４】また、前記情報表示テープの巻き付け用芯管１１０の先細状左右端部１１２外側に、当該芯管本体１１１と同心状で、前記可撓性移動手摺ベルト２０５へ、当該芯管１１０に巻き付けた情報表示テープ１０、２０……８０、９０を貼付する貼付装置２００の、垂直状側板２０１の垂直状案内溝２０２に誘導されるねじ付案内棒１１３を設けたものであり、また、前記情報表示テープ巻き付け用芯管１００、１１０の左右細径部１０２、１１２の端部１０２Ａ、１１２Ａに、当該芯管１００、１１０に巻き付ける情報表示テープ１０、２０……８０、９０の、両側縁部１２、２２……８２、９２の端部を誘導する、適宜直径の誘導用カラー１０６、１１６を設けたものである。
【００１５】（発明の作用）  請求項１の発明によれば、当該情報表示テープを貼付した可撓性移動手摺ベルトの進行により、可撓性移動手摺ベルトの左右両側縁部に湾曲が繰返し発生しても、当該可撓性移動手摺ベルトの左右両側縁部と、情報表示テープの左右両側縁部との貼付面間への気泡の発生、貼付した情報表示テープの左右両側縁部への皺の発生、亀裂の発生等が抑制され、即ち、当該可撓性移動手摺ベルト、殊に、その左右両側縁部と、当該可撓性移動手摺ベルトの左右両側縁部に貼付された情報表示テープの左右両側縁部の良好な貼付状態を確保できる情報表示テープを提供する。
【００１６】請求項２の発明によれば、可撓性移動手摺ベルト２０５の進行により、その左右側縁部２０８に湾曲が繰り返し発生しても、当該可撓性移動手摺ベルト２０５の左右側縁部２０８の表面と、情報表示テープ１０、２０、３０、４０の左右両側縁部１２、２２、３２、４２との貼付面間に発生しようとする気泡が、当該情報表示テープ１０、２０、３０、４０の左右両側縁部１２、２２、３２、４２に、適宜間隔を存して設けた、貼付応力の分散、抑制用の○、長○、三角、四角等の適宜形状の穴１３、１４、２３、３３、４３からの空気放散により抑制され、その結果、当該可撓性移動手摺ベルト２０５の左右側縁部２０８の表面に貼付された、当該情報表示テープ１０、２０、３０、４０の左右両側縁部に発生しようとする貼付応力が抑制され、当該情報表示テープの良好な貼付状態、ひいては、当該情報表示テープ１０、２０、３０、４０による良好な情報表示状態を長期間にわたって、確保可能な情報表示テープ１０、２０、３０、４０を提供する。
【００１７】請求項３の発明によれば、可撓性移動手摺ベルト２０５の進行時に、その左右両側縁部２０８に繰返し発生する屈曲により、発生しようとする過度の貼付応力が、当該情報表示テープ５０、６０……８０、９０の左右両側縁５２、６２……８２、９２に形成された外開き状開口側縁５３、６３……８３、９３により分散、抑制され、当該可撓性移動手摺ベルト２０５の左右両側縁部２０８と、情報表示テープ５０、６０……８０、９０の左右両側縁部５２、６２……８２、９２との貼付面間に気泡の発生や、当該情報表示テープ５０、６０……８０、９０の左右両側縁５２、６２……８２、９２に皺や、亀裂の発生する恐れがなく、長期間にわたって当該情報表示テープ５０、６０……８０、９０の良好な貼付状態を確保するる。
【００１８】請求項４の発明によれば、当該情報表示テープ１０、２０……８０、９０を目的とする、可撓性移動手摺ベルト２０５の表面に巻き付けた後、従前の紙製芯菅のように、回収して焼却することなく、回収したプラスチック、スチール等の紙以外の材料製芯管１００、１１０を反復使用できる外、このプラスチック、スチール等の反復使用可能な材料製芯管１００、１１０の左右両端部１０２、１１２を、当該芯管１００、１１０の中央部よりやや細径に構成したことにより、当該芯管１００、１１０の左右両側細径部１０２、１１２に、前記情報表示テープ１０、２０……８０、９０の左右両側縁部１２、２２……８２、９２が、同側縁部の構造に即する様にスムーズに巻き付けられる。なお、この情報表示テープ１０、２０……８０、９０巻き付け用芯管１００、１１０の、左右両側細径部１０２、１１２の形状を、例えば、当該芯管１００、１１０に巻き付ける情報表示テープ１０、２０……８０、９０の左右両側縁部１２、２２……８２、９２の構造に即するように構成することにより、一層良好な巻き付け性が確保される。
【００１９】請求項５の発明によれば、当該情報表示テープ１０、２０……８０、９０を巻き付けた芯管１００、１１０端部のねじ付案内棒１１３を、適宜情報表示テープ貼付装置２００の垂直状側板２０１の垂直状誘導部２０２に挿入することにより、当該芯管１００、１１０に巻き付けた情報表示テープ１０、２０……８０、９０を、対応する情報表示テープ貼付装置２００の垂直状側板２０１の垂直誘導溝２０２との協同により、スムーズな昇降誘導を可能にし、ひいては情報表示テープ貼付装置２００による良好な貼付性の確保可能な情報表示テープ巻き付け用芯管１１０を提供する。
【００２０】請求項６の発明によれば、前記情報表示テープ巻き付け用芯管１００、１１０の細径端部１０２Ａ、１１２Ａに、当該芯管１００、１１０に巻き付ける情報表示テー１０、２０……８０、９０の、両側縁部１２、２２……８２、９２の端部を誘導する適宜直径の誘導用カラー１０６、１１６を設けたことにより、前記可撓性移動手摺ベルト２０５へ、当該芯管１００、１１０に巻き付けた情報表示テープ１０、２０……８０、９０を貼付装置２００により貼付する際、当該芯管１００、１１０に巻き付けた情報表示テープ１０、２０……８０、９０の両側縁部１２、２２……８２、９２が、その芯管１００、１１０の細径部１０２、１１２の端部１０２Ａ、１１２Ａに設けた誘導用カラー１０６、１１６により誘導され、当該情報表示テープ１０、２０……８０、９０の、その貼付装置による貼付を一層スムーズにする。
【実施態様】
【００２１】  以下、この発明に係るエスカレータ、動く歩道等の移動通路の、可撓性移動手摺ベルトに貼付する情報表示テープの、第１〜９実施態様を、添付の図１〜１０の模式説明図を用いて、また、情報表示テープの巻き付け用芯管の、第１、２実施態様を、添付の図１１、１２の模式平面説明図を用いて説明する。
【００２２】（情報表示テープの第１実施態様）  図１は可撓性移動手摺ベルトの情報表示テープの、第１実施態様の模式平面図、図２は図１のＡ−Ａ線に沿う模式拡大縦断説明図である。図１、２において、１０は第１実施態様の可撓性移動手摺ベルトの情報表示テープ、１１は情報表示テープ本体で、情報表示テープ本体１１の表面には、エスカレータ、動く歩道等の当該移動通路回りに係わる模様、広告、宣伝、伝達、告示等の各種情報（図１４の符号２１５参照）が、予め印刷とにより表示される。１２は情報表示テープ本体１１の左右両側縁部、１３、１４は左右側縁部１２に適宜間隔存して設けた複数の、大小の穴である。
【００２３】なお、この情報表示テープ１０は、可撓性移動手摺ベルト２０５（図１３参照）の、略平面状をなす本体２０７（図１３）の上面及び左右両側縁部２０８（図１３）に、適宜情報表示テープ貼付装置２００（図１１〜１３では、その左右の垂直状側板２０１、２０１を、破線で略示した）により、即ち、情報表示テープ貼付装置２００の垂直状左右側板２０１、２０１の内側に摺動可能に当接し、若しくは、当該情報表示テープ貼付装置２００の垂直状左右側板２０１、２０１の間隔を、当該可撓性移動手摺ベルト２０５の左右方向の幅よりやや広くするとともに、当該左右垂直状左右側板２０１、２０１の前後部を連結する連結部材に設けた左右の案内ロール（図示省略）を介して、当該可撓性移動手摺ベルト２０５の左右側縁部２０８、２０８の外側に当接し、該可撓性移動手摺ベルト２０５の左右側縁部２０８、２０８外側に沿うように情報表示テープ貼付装置２００を移動することにより、当該垂直状左右側板２０１の垂直誘導溝２０２に端部を挿入した後述の情報表示テープの巻き付け用芯管１００（芯管１１０も同様）に巻き付けた情報表示テープ１０を、当該可撓性移動手摺ベルト２０５のベルト本体２０７及び側縁部２０８に貼付する。
【００２４】情報表示テープ１０は、その情報表示テープ本体１１及び左右両側縁部１２を、移動通路の可撓性移動手摺ベルト２０５の表面、左右側縁部２０８に貼付することにより、通常の情報表示テープ２１０と同様な情報伝達機能を奏する外、この情報表示テープ本体１１の左右両側縁部１２には、適度な大きさで、適度な間隔を存して複数の大小の穴１３、１４が設けられる。当該移動通路の可撓性移動手摺ベルト２０５が進行すると、当該可撓性移動手摺ベルト２０５の左右両側縁部２０８、２０８には繰返し屈曲が発生する。この情報表示テープ１０を、当該可撓性移動手摺ベルト２０５の左右両側縁部２０８、２０８に、当該情報表示テープ１０の貼付装置（例えば、図１１〜１３の符号２００付与部、及び、前項で補足説明をした案内ロール付情報表示テープの貼付装置も参照）により、その左右両側縁部２０８と、当該情報表示テープ１０の左右両側縁部１２とを圧接させるように貼付する最、仮に、両者の貼付面間に、空気が進入しようとすると、当該情報表示テープ１０側縁部１２の穴１３、１４から排出され、この場合には、従来例の前示情報表示テープ２１０とは異なり、前示情報表示テープ２１０の側縁部２１２と、可撓性移動手摺ベルト２０５の側縁部２０８間に、気泡（図１４の符号２１６参照）の発生する恐れはない。
【００２５】したがって、この情報表示テープ１０によれば、その左右両側縁部１２に皺が発生したり、破損発生を招く恐れがなく、長期間にわたり、当該情報表示テープ１０の良好な貼付状態、引いては良好な情報表示状態が確保される。なお、前記穴１３、１４の穴径を揃えることもでき、また、前記穴１３、１４の間隔を図示例とは異なるものにすることもできる。
【００２６】（情報表示テープの第２〜４実施態様）  図３〜５は、この発明に係る情報表示テープの第２〜４実施態様２０、３０、４０の模式平面説明図である。２１、３１、４１は夫々の情報表示テープ本体で、各情報表示テープ本体２１、３１、４１の中央部表面には、当該移動通路回りに係わる各種情報（図１４の符号２１５付与部参照）が予め印刷等により表示される。２２、３２、４２は情報表示テープ本体２１、３１、４１の左右両側縁部、２３、３３、４３は左右両側縁部２２、３２、４２に、夫々適宜間隔存して設けた複数の三角形状穴２２、３列の小径○穴３３、２列の楕円形状穴である。これらの情報表示テープ２０、３０、４０は、それぞれのテープ本体２１、３１、４１とともに、その左右両側縁部２２、３２、４２により可撓性移動手摺ベルト２０５の本体２０７表面及び左右両側縁部２０８外側面に貼付される。
【００２７】各情報表示テープ２０、３０、４０は、それぞれの側縁部２２、３２、４２に設けられる、底辺が外側に向う正三角形状穴２３、３列の複数の小径丸穴３３、２列の傾斜する楕円状穴４３の形状の相違に基づく、前記のような気泡発生防止に係わる具体的な作用に、多少の相違の生ずることは別として、前記第１実施態様の情報表示テープ１０とほぼ同様な、可撓性移動手摺ベルト２０５への情報表示テープ２０、３０、４０、殊に、それらの左右側縁部２２、３２、４２との貼付面間における貼付応力の分散、抑制作用をきたいできる。なお、各情報表示テープ２０、３０、４０の穴２３、３３、３４の大きさ、形状、間隔等を多少変更し、また、第２、第４実施態様の各情報表示テープ２０、４０にあっては、夫々の三角状穴２３、楕円形状穴４３の方向を多少変更することができる。
【００２８】（情報表示テープの第５〜９実施態様）  図６〜１０は、この発明に係る情報表示テープの第５〜９実施態様を、何れも模式平面説明図で略示するもので、第５〜９実施態様の情報表示テープ５０、６０、７０、８０、９０の、各情報表示テープ゜本体５１、６１……８１、９１の中央部表面に、当該情報表示テープ５０、６０……８０、９０を貼付しようとする移動通路回りに係わる各種情報が、予め印刷等により表示される。５２、６２……８２、９２は各情報表示テープ本体５１、６１……８１、９１の左右両側縁部で、夫々の左右両側縁部５２、６２……８２、９２の外側縁部は、三角形状側縁部５３、鋸歯状側縁部６３、波状側縁部７３、弧状頂部付三角状側縁部８３、頂低部が弧状をなす変形三角形状側縁部９３を備えるように、即ち、それぞれの側縁部５３、６３……８３、９３を、外開き開口状５４、６４……８４、９４をなすように構成したことにより、第５〜９実施態様の情報表示テープ５０、６０、７０、８０、９０を、当該移動通路の可撓性移動手摺ベルト２０５に貼付することにより、当該移動通路と同期進行する、その可撓性移動手摺ベルト２０５の進行に基づいて、その側縁部２０８に繰返し発生する屈曲により、当該可撓性移動手摺ベルト２０５の側縁部２０８の表面と、当該情報表示テープ本体５１、６１、７１、８１、９１の左右両側縁部５２、６２……８２、９２との貼付面間に発生しようとする気泡（図１４の符号２１６付与部参照）が、三角形状開口５４、鋸歯状開項口６４、波状開口７４、三角形形状開口８４、変形三角形状開口９４からの空気の放散により、当該情報表示テープ５０、６０……８０、９０の左右両側縁部５２、６２……８２、９２に発生しようとする貼付応力が分散、抑制され、過大な貼付応力の発生はなく、したがって、当該情報表示テープ５０、６０……８０、９０の、可撓性手摺ベルト２０５への良好な貼付状態を、即ち、皺や亀裂の発生しない良好な貼付状態を長期間にわたって確保できる。
【００２９】なお、情報表示テープ１０、２０……８０、９０の何れかの情報表示層（表示事項）に表示される、当該移動通路に係わる必要な各種情報（図１４では、○、△、□、楕円、ＡＢＣＤ  を、その一例として略示）が、選択され、印刷等により予め表示される。
【００３０】（情報表示テープの巻き付け用芯管の第１実施態様）  次に、この発明に係る情報表示テープの巻き付け用芯管の第１実施態様を、図１１の模式平面説明図を参照して説明する。なお、図１１では、情報表示テープを巻き付けた芯管１００を取付ける、情報表示テープ貼付装置２００の垂直状誘導溝２０２付、垂直状側板２０１の一部を、破線で略示した。図１１において、１００はプラスチック、スチール、その他の、紙以外の不燃材料製の情報表示テープ巻き付け用芯管、１０１は同芯管本体で、芯管本体１０１は同一直径の芯管として構成され、このプラスチック、スチール等の不燃材料製の、情報表示テープ巻き付け用芯管１００は、従来の紙製芯管とほぼ同様な構造を備え、作用を奏する外、当該情報表示テープ巻き付け用芯管１００に巻き付けた情報表示テープ１０、２０……８０、９０を、目的とする、可撓性移動手ス例ベル尾ｔ２０５に巻き付けた使用後の芯管１００を回収して繰返し使用する。１０２はプラスチック、スチール等の不燃材料製芯管１００の、左右の先細状端部で、この先細状端部１０２、１０２に、前記情報表示テープ２０、３０……８０、９０の何れかの、穴１３、１４、２３、３３、４３付左右側縁部１２、２２、３２、４２、又は外開き開口５３（三角形状）、６３（鋸歯状）、７３（波状）、８３（三角形状））、９３（変形三角形状）を備える左右側縁部５２、６２……８２、９２を、スムーズに巻き付けることができる。なお、この先細状端部１０２の傾斜は、夫々の側縁部１２、２２、３２、４２：５２、６２……８２、９２の形状に対応するように構成できる。また、この先細状端部１０２、１０２は、図示しないが、芯管本体１００の直径よりやや小径の細径の端部芯管として構成することもできる。
【００３１】図１１において、１０４はプラスチ、スチールック材製芯管１００の端部に、当該プラスチック材製芯管１００と同心状に設けた雌めじで、該雌ねじ１０４に取付けねじ１０５を、情報表示テープ貼付装置２００の垂直状側板２０１の垂直状誘導溝２０３を介してねじ込むことにより、情報表示テープ（例えば、１０）を巻き付けた当該プラスチック材製芯管１００を、情報表示テープ貼付装置２００に取付け、該情報表示テープ貼付装置２００を、当該可撓性移動手摺ベルト２０５の左右両側縁部２０８の外側に沿って進行させることにより、その垂直状案内溝２０２に取付ねじ１０５を挿入して取付けた芯管１００に巻き付けた、前記情報表示テープ１０、２０……８０、９０の何れかを、当該可撓製移動手摺ベルト２０５に貼付可能にする。
【００３２】１０６は芯管１００の先細状端部１０２の最外側に設けた、適宜直径の円板状のカラーで、カラー１０６は芯管１００の先細状端部１０２まわり外側に取付ける他、当該芯管１００の先細状端部１０２外側に取付ける構造にすることもできる。左右の円板状のカラー１０６、１０６は、芯管１００に巻き付けた情報表示テープ（例えば、１０）の左右両側縁部の位置を規制、誘導し、当該芯管１００に巻き付けた情報表示テープを、可撓製移動手摺ベルト２０５への貼付を容易にする。
【００３３】（情報表示テープ巻き付け用芯管の第２実施態様）  図１２はこの発明に係る、情報表示テープ巻き付け用芯管の第２実施態様の模式平面説明図で、１１０はプラスチック、スチール等の紙以外の、反復使用可能な不燃材料製芯管で、前記図１〜１０に例示したような各種情報表示テープ１０、２０……８０、９０の何れかを巻き付ける。１１は芯管１１０の芯管本体、１１２は芯管本体１１１の左右の先細状端部、１１３はねじ付案内棒で、このねじ付案内棒１１３は、情報表示テープの巻付用芯管１１０の、左右両先細状端部１１２の外側に、当該芯管１１０と同心状に突設され、この情報表示テープの巻付用芯管１１０の、ねじ付案内棒１１３を、前記情報表示テープ貼付装置２００の垂直状側板２０１の、垂直状誘導溝２０２に挿入し、取付けナット１１８により、情報表示テープ貼付装置２００の垂直誘導溝２０２に昇降可能に取付ける。これにより、情報表示テープを巻き付けた芯管１１０を、情報表示テープ貼付装置２００に装着し、可撓性移動手摺ベルト２０５への情報表示テープの貼付態勢を整える。なお、１１６はプラスチック材製芯管１１０の先細状端部に設けた、適度な直径の円板状カラーで、当該芯管１００に巻き付ける情報表示テープの端縁部の位置ずれを、前記カラー１０６とほぼ同様に規制をする。
【００３４】（発明の効果）  （１）  請求項１〜３の発明は、前記のような構成を備え、作用をするから、当該情報表示テープを貼付した可撓性移動手摺ベルトの左右両側縁部が繰返し屈曲しても、当該可撓性移動手摺ベルトの左右両側縁部と、同左右両側縁部に貼付された情報表示テープの左右両側縁部間に気泡の発生、情報表示テープの左右両側縁部への皺の発生、亀裂の発生等が抑制され、即ち、当該可撓性移動手摺ベルトの左右両側縁部への、情報表示テープの左右両側縁部の良好な貼付状態を確保できる情報表示テープを提供し、また、請求項２、３の発明によれば、情報表示テープの左右両側縁部に適宜間隔を存して設けた、適宜形状の穴により、また、当該情報表示テープの左右両側縁に形成された外開き状開口側縁により、同部に発生しようとする過度の貼付応力が分散、抑制されて、その左右両側縁ぶへの気泡の発生、皺の発生、亀裂の発生が抑制され、当該情報表示テープの良好な貼付状態、ひいては、当該情報表示テープによる良好な情報表示状態を長期間にわたって、確保可能な情報表示テープを提供する。
【００３５】  （２）  請求項４〜６の発明は、前記のような構成を備え、作用をするから、情報表示テープを目的とする、可撓性移動手摺ベルトに貼付した後、回収したプラスチック、スチール等の紙以外の不燃材料製芯管を、従前の紙製芯菅のように焼却することなく、回収して反復使用できる外、このプラスチック、スチール等の紙以外の、不燃性で、反復使用可能な材料製芯管の左右両端部を、当該芯管本体よりやや細径にしたことにより、当該芯管の左右両側細径部に、前記情報表示テープのような左右両側縁部を備える情報表示テープを、スムーズに巻き付けられ、請求項５の発明によれば、芯管端部のねじ付案内棒を、適宜情報表示テープ貼付装置の垂直状側板の垂直状誘導溝に誘導させて、当該芯管に巻き付けた情報表示テープを、対応する情報表示テープ貼付装置の垂直状側板の垂直誘導溝との協同により、スムーズな昇降誘導を可能にし、ひいては、情報表示テープ貼付装置による良好な貼付性確保可能な芯管を提供する。また、請求項６の発明によれば、前記情報表示テープ巻き付け用芯管の細径端部に、当該芯管に巻き付ける情報表示テープの、両側縁部の端部を誘導する適宜直径の誘導用カラーを設けたことにより、前記可撓性移動手摺ベルトの表面へ、当該芯管に巻き付けた情報表示テープを貼付装置により貼付する際、当該芯管に巻き付ける情報表示テープの両側縁部が、当該芯管の細径端部に設けた誘導用カラーにより誘導され、当該情報表示テープを一層スムーズな貼付を可能にする。
【図面の簡単な説明】
【００３６】
【図１】  この発明に係る可撓性移動手摺ベルトの、情報表示テープの第１実施態様の模式平面図である。
【図２】  図１のＡ−Ａ線に沿う模式縦断面図である。
【図３】  この発明の可撓性移動手摺ベルト用情報表示テープの、第２実施態様の模式平面図である。
【図４】  この発明の可撓性移動手摺ベルト用情報表示テープの、第３実施態様の模式平面図である。
【図５】  この発明の可撓性移動手摺ベルト用情報表示テープの、第４実施態様の模式平面図である。
【図６】  この発明の可撓性移動手摺ベルト用情報表示テープの、第５実施態様の模式平面図である。
【図７】    この発明の可撓性移動手摺ベルト用情報表示テープの、第６実施態様の模式平面図である。
【図８】  この発明の可撓性移動手摺ベルト用情報表示テープの、第７実施態様の模式平面図である。
【図９】  この発明の可撓性移動手摺ベルト用情報表示テープの、第８実施態様の模式平面図である。
【図１０】  この発明の可撓性移動手摺ベルト用情報表示テープの、第９実施態様の模式平面図である。
【図１１】  この発明の可撓性移動手摺ベルト用情報表示テープ巻き付け用芯管の、第１実施態様の模式平面説明図である。
【図１２】  この発明の可撓性移動手摺ベルト用情報表示テープ巻き付け用芯管の、第２実施態様の模式平面説明図である。
【図１３】  従来のエスカレータ（移動通路）の、可撓性移動手摺ベルトの模式縦断説明図である。
【図１４】  従来のエスカレータ（移動通路）の、可撓性移動手摺ベルトの表面に貼付する情報表示テープの模式平面説明図である。
【符号の説明】
【００３７】１０、２０、３０、４０……情報表示テープ（第１〜４実施例）
１１、２１、３１、４１……情報表示テープ本体
１２、２２、３２、４２……情報表示テープの側縁部
１３、１４、２３、３３、４３……側縁部の穴（円形）
５０、６０、７０、、８０、００……情報表示テープ（第５〜９実態様）
５１、６１、７１、８１、９１……情報表示テープ本体
５２、６２、７２、８２、９０……情報表示テープの側縁部
５３……開口側縁（三角形状）
５４……三角形状開口
６３……開口側縁（鋸歯状）
６４……鋸歯状開口
７３……開口側縁（波形）
７４……波形状開口
８３……開口側縁（端部弧状）
８４……三角形状開口
９３……開口側縁（頂低部弧状）
９４……変形三角形状開口
１００、１１０……情報表示テープの巻き付け用芯管（第１、２実施態様）
１０１、１１１……芯管本体
１０２、１１２……先細状部
１０２Ａ、１１２Ａ……先細状端部
１０４……雌ねじ
１０５……取付ねじ（芯管１００用）
１０６……カラー
１１３……ねじ付案内棒
１１６……カラー
１１８……取付ナット（芯管１１０用）
２００……情報表示テープの貼付装置
２０１……情報表示テープ貼付装置の垂直状側板
２０２……垂直状側板２０１の垂直誘導溝
２０５……可撓性移動手摺ベルト
２０６……可撓性移動手摺ベルトのガイド
２０７……可撓性移動手摺ベルト本体
２０８……可撓性移動手摺ベルトの側縁部
２１０……情報表示テープ（従来例）
２１１……情報表示テープ２１０本体
２１２……情報表示テープ２１０側縁部
２１５……表示情報（情報表示テープ本体２１０上）
２１６……気泡
【図１】
2007015851.tif 000003
【図２】
2007015851.tif 000004
【図３】
2007015851.tif 000005
【図４】
2007015851.tif 000006
【図５】
2007015851.tif 000007
【図６】
2007015851.tif 000008
【図７】
2007015851.tif 000009
【図８】
2007015851.tif 000010
【図９】
2007015851.tif 000011
【図１０】
2007015851.tif 000012
【図１１】
2007015851.tif 000013
【図１２】
2007015851.tif 000014
【図１３】
2007015851.tif 000015
【図１４】
2007015851.tif 000016